(57)【要約】      （修正有）【課題】カールなどの紙媒体の変形を引き起こさずに、高濃度の画像を紙媒体に形成することが可能な水性インクジェットインクを提供する。【解決手段】インク総量の２〜２０質量％の色材、４５〜７０質量％の水、および２０〜５０質量％の水溶性有機溶媒を含有する水性インクジェットインクであり、水溶性有機溶媒は、下記一般式（１）で表わされる化合物を含み、下記一般式（１）で表わされる化合物は、前記インク総量の１０〜３０質量％を占める。下記一般式（１）で表わされる化合物の量が前記水溶性有機溶媒の量と等しい場合には、前記水溶性有機溶媒の全量が下記一般式（１）で表わされる化合物である。前記色材と前記水と前記水溶性有機溶媒との合計は、前記インクの１００質量％以下である水性インクジェットインク。2014101419.tif 000011ｍおよびｎは、それぞれ同一でも異なっていてもよく１以上の整数であり、２≦ｍ＋ｎ≦１０を満たす。【選択図】なし【特許請求の範囲】
【請求項１】
総量の２〜２０質量％の色材と、
総量の４５〜７０質量％の水と、
総量の２０〜５０質量％の水溶性有機溶媒とを含有する水性インクジェットインクであり、前記水溶性有機溶媒は、下記一般式（１）で表わされる化合物を含み、下記一般式（１）で表わされる化合物は、前記水性インクジェットインク総量の１０〜３０質量％を占め、この化合物の量が前記水溶性有機溶媒の量と等しい場合には、前記水溶性有機溶媒の全量が下記一般式（１）で表わされる化合物であり、前記色材と前記水と前記水溶性有機溶媒との合計は前記水性インクジェットインクの１００質量％以下であることを特徴とする水性インクジェットインク。
【化１】
2014101419.tif 000010
（ｍおよびｎは、それぞれ同一でも異なっていてもよく１以上の整数であり、２≦ｍ＋ｎ≦１０を満たす。）
【請求項２】
ポリオキシエチレン硬化ヒマシ油を、前記水性インクジェットインク総量の５〜１０質量％含有する請求項１に記載の水性インクジェットインク。
【請求項３】
前記水は、前記水性インクジェットインク総量の４５〜６５質量％を占める請求項１または２に記載の水性インクジェットインク。
【請求項４】
前記水性インクジェットインクは、２５℃における粘度が５〜３０ｍＰａ・ｓであることを特徴とする請求項１〜３のいずれか１項に記載の水性インクジェットインク。
【請求項５】
紙媒体をインクジェットヘッドの方向に搬送する搬送ローラと、
前記紙媒体に向けて、請求項１〜４のいずれか１項に記載の水性インクジェットインクを吐出して画像を形成するインクジェットヘッドと、
前記画像が形成された紙媒体を排出する排出ローラと
を具備するインクジェット記録装置。
【発明の詳細な説明】
【技術分野】
【０００１】
ここに記載する実施形態は、一般的には水性インクジェットインクおよびインクジェット記録装置に関する。
【背景技術】
【０００２】
水性インクジェットインクにおいては、染料または顔料といった色材が水性媒体に分散されている。
【０００３】
水のような揮発性の高い水性媒体が用いられる場合でも、水性インクジェットインクは、インクジェットヘッドからの吐出に適した特性を有していなければならない。しかも紙媒体に記録するための水性インクジェットインクは、カールやコックリングなどの紙媒体の変形を極力低減することが求められる。
【先行技術文献】
【特許文献】
【０００４】
【特許文献１】特開２００４−２０９７５９号公報
【特許文献２】特開２００９−０６２４４０号公報
【発明の概要】
【発明が解決しようとする課題】
【０００５】
本発明が解決しようとする課題は、カールなどの紙媒体の変形を引き起こさずに、高濃度の画像を紙媒体に形成することが可能な水性インクジェットインクを提供することにある。
【課題を解決するための手段】
【０００６】
一実施形態によれば、水性インクジェットインクは、インク総量の２〜２０質量％の色材、インク総量の４５〜７０質量％の水、およびインク総量の２０〜５０質量％の水溶性有機溶媒を含有する。前記水溶性有機溶媒は、下記一般式（１）で表わされる化合物を含み、下記一般式（１）で表わされる化合物は、前記水性インクジェットインク総量の１０〜３０質量％を占める。下記一般式（１）で表わされる化合物の量が前記水溶性有機溶媒の量と等しい場合には、前記水溶性有機溶媒の全量が下記一般式（１）で表わされる化合物である。前記色材と前記水と前記水溶性有機溶媒との合計は、前記水性インクジェットインクの１００質量％以下である。
【化１】
2014101419.tif 000002
【０００７】
ｍおよびｎは、それぞれ同一でも異なっていてもよく１以上の整数であり、２≦ｍ＋ｎ≦１０を満たす。
【図面の簡単な説明】
【０００８】
【図１】実施の一形態を適用するインクジェット記録装置の一例である。
【発明を実施するための形態】
【０００９】
以下、実施形態を具体的に説明する。
【００１０】
図１に示すインクジェット記録装置においては、用紙カセット１００および１０１は、サイズの異なる用紙Ｐを収容している。供紙ローラ１０２または１０３は、選択された用紙サイズに対応した用紙Ｐを用紙カセット１００または１０１から取り出し、搬送ローラ対１０４、１０５およびレジストローラ対１０６に搬送する。
【００１１】
搬送ベルト１０７は、駆動ローラ１０８と２本の従動ローラ１０９とによって張力が与えられている。搬送ベルト１０７には所定間隔で貫通孔が設けられ、搬送ベルト１０７の内側には用紙Ｐを搬送ベルト１０７に吸着させるため、ファン１１０に連結された負圧チャンバ１１１が設置されている。搬送ベルト１０７の用紙搬送方向下流には、搬送ローラ対１１２、１１３、および１１４が設置されている。搬送ベルト１０７、駆動ローラ１０８、従動ローラ１０９、搬送ローラ対１１２、１１３、および１１４によって、搬送部が構成される。
【００１２】
搬送ベルト１０７の上方には、画像データに応じてインクを用紙に吐出するインクジェットヘッドが、搬送ベルト１０７の搬送方向に沿って４列配列されている。上流から、シアン（Ｃ）インクを吐出するインクジェットヘッド１１５Ｃ、マゼンタ（Ｍ）インクを吐出するインクジェットヘッド１１５Ｍ、イエロー（Ｙ）インクを吐出するインクジェットヘッド１１５Ｙ、ブラック（Ｂｋ）インクを吐出するインクジェットヘッド１１５Ｂｋの順である。さらに、インクジェットヘッド１１５Ｃ、１１５Ｍ、１１５Ｙ、および１１５Ｂｋには、対応したインクが収容されているシアン（Ｃ）インクカートリッジ１１６Ｃ、マゼンタ（Ｍ）インクカートリッジ１１６Ｍ、イエロー（Ｙ）インクカートリッジ１１６Ｙ、ブラック（Ｂｋ）インクカートリッジ１１６Ｂｋが設けられている。カートリッジは、それぞれチューブ１１７Ｃ、１１７Ｍ、１１７Ｙ、１１７Ｂｋによって、インクジェットヘッドに連結されている。
【００１３】
こうした構成のインクジェット記録装置の画像形成動作について述べる。
【００１４】
まず、画像処理手段（図示しない）により記録のための画像処理が開始され、記録のための画像データが各インクジェットヘッド１１５Ｃ、１１５Ｍ、１１５Ｙ、１１５Ｂｋに転送される。また、用紙カセット１００または１０１から給紙ローラ１０２または１０３により選択された用紙サイズの用紙Ｐ（紙媒体Ｐ）を一枚ずつ取り出し、搬送ローラ対１０４、１０５およびレジストローラ対１０６に搬送する。レジストローラ対１０６は用紙Ｐのスキューを補正し、所定のタイミングで各インクジェットヘッド１１５Ｃ、１１５Ｍ、１１５Ｙ、１１５Ｂｋへ搬送を行なう。
【００１５】
負圧チャンバ１１１は搬送ベルト１０７の穴を介して空気を吸い込んでいるので、用紙Ｐは搬送ベルト１０７に吸着された状態でインクジェットヘッド１１５Ｃ、１１５Ｍ、１１５Ｙ、１１５Ｂｋの下側を搬送される。このことで、インクジェットヘッド１１５Ｃ、１１５Ｍ、１１５Ｙ、１１５Ｂｋと用紙Ｐとは一定の間隔を保つことができる。レジストローラ対１０６から用紙Ｐが搬送されるタイミングに同期させて、各インクジェットヘッド１１５Ｃ、１１５Ｍ、１１５Ｙ、１１５Ｂｋから各色のインクを用紙Ｐへ向けて吐出させる。こうして、用紙Ｐの所望の位置にカラー画像が形成される。画像が形成された用紙Ｐは搬送ローラ対１１２、１１３および１１４によって排紙トレイ１１８に排紙される。
【００１６】
各インクカートリッジには、一実施形態にかかる水性インクジェットインクが収容される。
【００１７】
本実施形態にかかる水性インクジェットインクは、水と水溶性有機溶媒と色材とを含有する。水の量はインク総量の４５〜７０質量％であり、水溶性有機溶媒の量はインク総量の２０〜５０質量％である。しかも、水溶性有機溶媒は下記一般式（１）で表わされる２，２−ビス（４−ポリオキシプロピレンオキシフェニル）プロパンを含有し、この２，２−ビス（４−ポリオキシプロピレンオキシフェニル）プロパンは、インク総量の１０〜３０質量％を占める。
【化２】
2014101419.tif 000003
【００１８】
ｍおよびｎは、それぞれ同一でも異なっていてもよく１以上の整数であり、２≦ｍ＋ｎ≦１０を満たす。
【００１９】
それぞれ所定の量で配合された水と、所定の２，２−ビス（４−ポリオキシプロピレンオキシフェニル）プロパンを含む水溶性有機溶媒とによって、本実施形態の水性インクジェットインクにおけるインク媒体が構成される。インク媒体中には、色材が溶解または分散される。上述したように、水の量はインク総量の４５〜７０質量％であり、水溶性有機溶媒の量はインク総量の２０〜５０量％である。しかも、２，２−ビス（４−ポリオキシプロピレンオキシフェニル）プロパンは、インク総量の１０〜３０質量％を占める。こうしたインク媒体が用いられるので、本実施形態にかかる水性インクジェットインクは、紙媒体の変形を極力抑制しつつ、高品質の画像を紙媒体に形成することができる。
【００２０】
本実施形態の水性インクジェットインクは、用紙の変形抑制能が優れているので、印刷後の用紙が搬送不可能となるおそれはない。その結果、印字速度が５０ｐｐｍ（page per minute）以上という高速印刷にも対応することが可能となった。
【００２１】
本明細書において、紙媒体とは、一般的には、印刷されることを目的に使用される紙製の媒体をさす。印刷特性を高めるための材料が塗布されたアート紙やコート紙などの塗工用紙と、紙自体の特性を生かした非塗工用紙とに大別される。紙媒体は、本、書籍、新聞、包装、およびプリンター用紙など、種々の用途に用いられる。また、段ボール、紙製の容器、およびボール紙などの厚紙も紙媒体に含まれる。例えば、オフィスや家庭で使用する複写機、プリンターに使用されるコピー用紙のような、いわゆる普通紙は、典型的な紙媒体である。
【００２２】
一実施形態においては、水と所定の２，２−ビス（４−ポリオキシプロピレンオキシフェニル）プロパンを含む水溶性有機溶媒とをそれぞれ所定の量で含有するインク媒体中に、色材が含有される。
【００２３】
色材としては、染料および顔料のいずれを用いてもよい。染料としては、例えば、直接染料、酸性染料、食用染料、反応性染料、および分散染料など、インクジェットインクに用いられる各種染料が使用可能である。
【００２４】
具体的には、以下の染料が挙げられる。Ｃ．Ｉ．Ｄｉｒｅｃｔ  Ｙｅｌｌｏｗ  ８、Ｃ．Ｉ．Ｄｉｒｅｃｔ  Ｙｅｌｌｏｗ  １１、Ｃ．Ｉ．Ｄｉｒｅｃｔ  Ｙｅｌｌｏｗ  ２４、Ｃ．Ｉ．Ｄｉｒｅｃｔ  Ｙｅｌｌｏｗ  ２６、Ｃ．Ｉ．Ｄｉｒｅｃｔ  Ｙｅｌｌｏｗ  ２７、Ｃ．Ｉ．Ｄｉｒｅｃｔ  Ｙｅｌｌｏｗ  ２８、Ｃ．Ｉ．Ｄｉｒｅｃｔ  Ｙｅｌｌｏｗ  ３３、Ｃ．Ｉ．Ｄｉｒｅｃｔ  Ｙｅｌｌｏｗ  ４４、Ｃ．Ｉ．Ｄｉｒｅｃｔ  Ｙｅｌｌｏｗ  ５０、Ｃ．Ｉ．Ｄｉｒｅｃｔ  Ｏｒａｎｇｅ  ６、Ｃ．Ｉ．Ｄｉｒｅｃｔ  Ｏｒａｎｇｅ  ８、Ｃ．Ｉ．Ｄｉｒｅｃｔ  Ｏｒａｎｇｅ  ２９、Ｃ．Ｉ．Ｄｉｒｅｃｔ  Ｏｒａｎｇｅ  １０２、Ｃ．Ｉ．Ｄｉｒｅｃｔ  Ｒｅｄ  １、Ｃ．Ｉ．Ｄｉｒｅｃｔ  Ｒｅｄ  ２、Ｃ．Ｉ．Ｄｉｒｅｃｔ  Ｒｅｄ  ４、Ｃ．Ｉ．Ｄｉｒｅｃｔ  Ｒｅｄ  １３、Ｃ．Ｉ．Ｄｉｒｅｃｔ  Ｒｅｄ  １７、Ｃ．Ｉ．Ｄｉｒｅｃｔ  Ｒｅｄ  ２０、Ｃ．Ｉ．Ｄｉｒｅｃｔ  Ｒｅｄ  ３３、Ｃ．Ｉ．Ｄｉｒｅｃｔ  Ｒｅｄ  ３７、Ｃ．Ｉ．Ｄｉｒｅｃｔ  Ｒｅｄ  ４４、Ｃ．Ｉ．Ｄｉｒｅｃｔ  Ｒｅｄ  ４６、Ｃ．Ｉ．Ｄｉｒｅｃｔ  Ｒｅｄ  ６２、Ｃ．Ｉ．Ｄｉｒｅｃｔ  Ｒｅｄ  ７５、Ｃ．Ｉ．Ｄｉｒｅｃｔ  Ｂｌｕｅ  １、Ｃ．Ｉ．Ｄｉｒｅｃｔ  Ｂｌｕｅ  ２、Ｃ．Ｉ．Ｄｉｒｅｃｔ  Ｂｌｕｅ  ６、Ｃ．Ｉ．Ｄｉｒｅｃｔ  Ｂｌｕｅ  １５、Ｃ．Ｉ．Ｄｉｒｅｃｔ  Ｂｌｕｅ  ２２、Ｃ．Ｉ．Ｄｉｒｅｃｔ  Ｂｌｕｅ  ２５、Ｃ．Ｉ．Ｄｉｒｅｃｔ  Ｂｌｕｅ  ７６、Ｃ．Ｉ．Ｄｒｅｃｔ  Ｂｌｕｅ  ７７、Ｃ．Ｉ．Ｄｉｒｅｃｔ  Ｂｌｕｅ  ８６、Ｃ．Ｉ．Ｄｉｒｅｃｔ  Ｂｌｕｅ  １０８、およびＣ．Ｉ．Ｄｉｒｅｃｔ  Ｂｌｕｅ  １２０などである。
【００２５】
染料は、インク総量の２〜２０質量％の量で含有される。この範囲内であれば、インクの保存性や吐出性能に関して不都合を伴なうことなく、必要な画像濃度を有する印刷物を形成することができる。
【００２６】
色材として顔料が用いられた場合には、水性インクジェットインクの耐水性および耐光性を、より高めることができる。
【００２７】
顔料は特に限定されず、無機顔料および有機顔料のいずれを用いてもよい。無機顔料としては、例えば酸化チタンおよび酸化鉄が挙げられる。さらに、コンタクト法、ファーネス法、またはサーマル法などの公知の方法によって製造されたカーボンブラックを使用することができる。
【００２８】
有機顔料としては、例えば、アゾ顔料（アゾレーキ顔料、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。
【００２９】
ブラックインクとして使用されるカーボンブラックとしては、具体的には、Ｎｏ．２３００，Ｎｏ．９００，ＭＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等（三菱化学製）、Ｒａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等（コロンビア社製）、Ｒｅｇａｌ  ４００Ｒ，Ｒｅｇａｌ  ３３０Ｒ，Ｒｅｇａｌ  ６６０Ｒ，Ｍｏｇｕｌ  Ｌ，Ｍｏｎａｒｃｈ  ７００，Ｍｏｎａｒｃｈ  ８００，Ｍｏｎａｒｃｈ  ８８０，Ｍｏｎａｒｃｈ９００，Ｍｏｎａｒｃｈ  １０００，Ｍｏｎａｒｃｈ  １１００，Ｍｏｎａｒｃｈ  １３００，Ｍｏｎａｒｃｈ  １４００等（キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，  Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，ＰｒｉｎｔｅｘＶ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，およびＳｐｅｃｉａｌ  Ｂｌａｃｋ  ４等（デグッサ社製）などが挙げられる。
【００３０】
イエローインクに使用される顔料としては、具体的には、Ｃ．Ｉ．Ｐｉｇｍｅｎｔ  Ｙｅｌｌｏｗ  １，Ｃ．Ｉ．Ｐｉｇｍｅｎｔ  Ｙｅｌｌｏｗ２，Ｃ．Ｉ．Ｐｉｇｍｅｎｔ  Ｙｅｌｌｏｗ  ３，Ｃ．Ｉ．Ｐｉｇｍｅｎｔ  Ｙｅｌｌｏｗ  １２，Ｃ．Ｉ．Ｐｉｇｍｅｎｔ  Ｙｅｌｌｏｗ  １３，Ｃ．Ｉ．Ｐｉｇｍｅｎｔ  Ｙｅｌｌｏｗ  １４Ｃ，Ｃ．Ｉ．Ｐｉｇｍｅｎｔ  Ｙｅｌｌｏｗ  １６，Ｃ．Ｉ．Ｐｉｇｍｅｎｔ  Ｙｅｌｌｏｗ  １７，Ｃ．Ｉ．Ｐｉｇｍｅｎｔ  Ｙｅｌｌｏｗ  ７３，Ｃ．Ｉ．  Ｐｉｇｍｅｎｔ  Ｙｅｌｌｏｗ  ７４，Ｃ．Ｉ．Ｐｉｇｍｅｎｔ  Ｙｅｌｌｏｗ  ７５，Ｃ．Ｉ．Ｐｉｇｍｅｎｔ  Ｙｅｌｌｏｗ  ８３，Ｃ．Ｉ．Ｐｉｇｍｅｎｔ  Ｙｅｌｌｏｗ９３，Ｃ．Ｉ．Ｐｉｇｍｅｎｔ  Ｙｅｌｌｏｗ９５，Ｃ．Ｉ．Ｐｉｇｍｅｎｔ  Ｙｅｌｌｏｗ９７，Ｃ．Ｉ．Ｐｉｇｍｅｎｔ  Ｙｅｌｌｏｗ  ９８，Ｃ．Ｉ．ＰｉｇｍｅｎｔＹｅｌｌｏｗ  １０９，Ｃ．Ｉ．Ｐｉｇｍｅｎｔ  Ｙｅｌｌｏｗ  １１０，Ｃ．Ｉ．Ｐｉｇｍｅｎｔ  Ｙｅｌｌｏｗ  １１４，Ｃ．Ｉ．Ｐｉｇｍｅｎｔ  Ｙｅｌｌｏｗ  １２８，Ｃ．Ｉ．Ｐｉｇｍｅｎｔ  Ｙｅｌｌｏｗ  １２９，Ｃ．Ｉ．Ｐｉｇｍｅｎｔ  Ｙｅｌｌｏｗ  １３８，Ｃ．Ｉ．Ｐｉｇｍｅｎｔ  Ｙｅｌｌｏｗ  １５０，Ｃ．Ｉ．Ｐｉｇｍｅｎｔ  Ｙｅｌｌｏｗ  １５１，Ｃ．Ｉ．Ｐｉｇｍｅｎｔ  Ｙｅｌｌｏｗ  １５４，Ｃ．Ｉ．Ｐｉｇｍｅｎｔ  Ｙｅｌｌｏｗ  １５５，Ｃ．Ｉ．Ｐｉｇｍｅｎｔ  Ｙｅｌｌｏｗ  １８０，およびＣ．Ｉ．Ｐｉｇｍｅｎｔ  Ｙｅｌｌｏｗ  １８５等が挙げられる。
【００３１】
マゼンタインクに使用される顔料としては、具体的には、Ｃ．Ｉ．Ｐｉｇｍｅｎｔ  Ｒｅｄ  ５，Ｃ．Ｉ．Ｐｉｇｍｅｎｔ  Ｒｅｄ７，Ｃ．Ｉ．Ｐｉｇｍｅｎｔ  Ｒｅｄ  １２，Ｃ．Ｉ．Ｐｉｇｍｅｎｔ  Ｒｅｄ  ４８（Ｃａ），Ｃ．Ｉ．Ｐｉｇｍｅｎｔ  Ｒｅｄ  ４８（Ｍｎ），Ｃ．Ｉ．Ｐｉｇｍｅｎｔ  Ｒｅｄ  ５７（Ｃａ），Ｃ．Ｉ．Ｐｉｇｍｅｎｔ  Ｒｅｄ  ５７：１，Ｃ．Ｉ．Ｐｉｇｍｅｎｔ  Ｒｅｄ  １１２，Ｃ．Ｉ．Ｐｉｇｍｅｎｔ  Ｒｅｄ  １２２，Ｃ．Ｉ．Ｐｉｇｍｅｎｔ  Ｒｅｄ  １２３，Ｃ．Ｉ．Ｐｉｇｍｅｎｔ  Ｒｅｄ  １６８，Ｃ．Ｉ．Ｐｉｇｍｅｎｔ  Ｒｅｄ  １８４，Ｃ．Ｉ．Ｐｉｇｍｅｎｔ  Ｒｅｄ  ２０２，およびＣ．Ｉ．Ｐｉｇｍｅｎｔ  Ｖｉｏｌｅｔ１９等が挙げられる。
【００３２】
シアンインクに使用される顔料としては、具体的には、Ｃ．Ｉ．Ｐｉｇｍｅｎｔ  Ｂｌｕｅ  １，Ｃ．Ｉ．Ｐｉｇｍｅｎｔ  Ｂｌｕｅ  ２，Ｃ．Ｉ．  Ｐｉｇｍｅｎｔ  Ｂｌｕｅ  ３，Ｃ．Ｉ．Ｐｉｇｍｅｎｔ  Ｂｌｕｅ  １５：３，Ｃ．Ｉ．Ｐｉｇｍｅｎｔ  Ｂｌｕｅ  １５：４，Ｃ．Ｉ．Ｐｉｇｍｅｎｔ  Ｂｌｕｅ  １５：３４，Ｃ．Ｉ．Ｐｉｇｍｅｎｔ  Ｂｌｕｅ  １６，Ｃ．Ｉ．Ｐｉｇｍｅｎｔ  Ｂｌｕｅ  ２２，Ｃ．Ｉ．Ｐｉｇｍｅｎｔ  Ｂｌｕｅ  ６０，Ｃ．Ｉ．Ｖａｔ  Ｂｌｕｅ  ４，およびＣ．Ｉ．Ｖａｔ  Ｂｌｕｅ  ６０が挙げられる。
【００３３】
インクジェットインクに用いられるので、顔料の平均粒径は１０〜３００ｎｍ程度の範囲内であることが好ましい。さらに顔料の平均粒径は、１０〜２００ｎｍ程度の範囲内であることがより好ましい。
【００３４】
顔料の平均粒径は、動的光散乱法を用いた粒度分布計を用いて測定することができる。粒度分布計としては、例えば、ＨＰＰＳ（マルバーン社）が挙げられる。
【００３５】
顔料は、顔料分散体の状態で用いることができる。顔料分散体は、例えば、分散剤により水やアルコール中などに顔料を分散させて調製することができる。分散剤としては、例えば、界面活性剤、水溶性樹脂、および非水溶性樹脂などが挙げられる。あるいは、自己分散型顔料を用いてもよい。自己分散型顔料とは、分散剤なしに水等に分散可能な顔料であり、顔料に表面処理を施して、カルボニル基、カルボキシル基、ヒドロキシル基、およびスルホン基の少なくとも一種の官能基またはその塩を結合させた顔料である。表面処理としては、例えば、真空プラズマ処理、ジアゾカップリング処理、および酸化処理等が挙げられる。こうした表面処理により官能基または官能基を含んだ分子を顔料の表面にグラフトさせることによって、自己分散型顔料が得られる。
【００３６】
インク中における顔料の含有量は、インク総量の２〜２０質量％の範囲である。この範囲内であれば、インクの保存性や吐出性能に関して不都合を伴なうことなく、必要な画像濃度を有する印刷物を形成することができる。インク総量の３〜１０質量％の顔料を含有するインクは、２０〜５０℃程度という広い温度範囲にわたって、インクジェットヘッドからの吐出に適切な粘度を有する。しかも、かかるインクを用いて形成される画像の画質も良好である。
【００３７】
顔料分散体は、水と所定の２，２−ビス（４−ポリオキシプロピレンオキシフェニル）プロパンを含む水溶性有機溶媒とから構成されるインク媒体と混合され、本実施形態の水性インクジェットインクが得られる。
【００３８】
上述したように一実施形態においては、インク総量の４５〜７０質量％は水である。インク中における水の量が少なすぎる場合には、インクジェットインクとしての適切な範囲の粘度を確保できず、インクジェットヘッドからの吐出性能が低下する。しかも、顔料の分散安定性が低下するため、インクジェットヘッドの目詰まりが生じやすくなる。一方、インク中における水の量が多すぎる場合には、用紙変形を抑制することが困難となる。水の量は、インク総量の４５〜６５質量％が好ましい。
【００３９】
一実施形態の水性インクジェットインクにおいては、インク総量の２０〜５０質量％は水溶性有機溶媒である。インク中における水溶性有機溶媒の量が少なすぎる場合には、用紙変形を抑制することが困難となる。一方、インク中における水溶性有機溶媒の量が多すぎる場合には、インクジェットインクとしての適切な範囲の粘度を確保できず、インクジェットヘッドからの吐出性能が低下する。しかも、顔料の分散安定性が低下するため、インクジェットヘッドの目詰まりが生じやすくなる。水溶性有機溶媒の量は、インク総量の３０〜５０質量％がより好ましい。色材と水と水溶性有機溶媒との合計は、水性インクジェットインクの１００質量％以下である。
【００４０】
なお、水溶性有機溶媒の量が水の量を超えない場合には、水性インクジェットインクの保存安定性を高いレベルに維持することができる。
【００４１】
水溶性有機溶媒には、下記一般式（１）で表わされる２，２−ビス（４−ポリオキシプロピレンオキシフェニル）プロパンが含有される。２，２−ビス（４−ポリオキシプロピレンオキシフェニル）プロパンの量は、インク総量の１０〜３０質量％である。
【化３】
2014101419.tif 000004
【００４２】
ｍおよびｎは、それぞれ同一でも異なっていてもよく１以上の整数であり、２≦ｍ＋ｎ≦１０を満たす。
【００４３】
用紙変形を抑制するために、一般式（１）における（ｍ＋ｎ）の値は２以上に規定される。（ｍ＋ｎ）の値が大きすぎる場合には、インクジェットインクとしての適切な範囲の粘度を確保することができない。しかも、顔料の分散安定性が低下する傾向となるので、（ｍ＋ｎ）の値の上限は１０に規定される。
【００４４】
上記一般式（１）で表わされる２，２−ビス（４−ポリオキシプロピレンオキシフェニル）プロパンとしては、例えば、ＢＡ−１０グリコール（日本乳化剤製）、およびＢＡ−８グリコール（日本乳化剤製）が挙げられる。これらの化合物は、ＣＡＳ番号（３２４９２−６１−８）の化合物（Ａｌｄｒｉｃｈ）である。
【００４５】
上述したような２，２−ビス（４−ポリオキシプロピレンオキシフェニル）プロパンがインク媒体に含まれる本実施形態のインクジェットインクは、インクジェットヘッドからの吐出性能が優れているのに加えて、用紙の変形を抑制する効果も高い。用紙変形の抑制について、本発明者らは次のように考察した。水性インクと接触した際、一般的には次のようなメカニズムによって用紙が変形する。まず、水性インク中の水分によって、紙の主成分であるセルロース繊維の水素結合が膨潤解離して切断される。水分が蒸発して紙が乾燥する際、セルロース繊維の水素結合は再結合する。この再結合は、切断前とは異なる状態あるいは異なる位置で生じ、それによって用紙が変形し、カール等が発生する。
【００４６】
上述の２，２−ビス（４−ポリオキシプロピレンオキシフェニル）プロパンには、エチレンオキシド基が含まれている。このエチレンオキシド基は、水分子の浸透によって切断された水素結合を再結合させることができる。それによって、用紙の変形が抑制される。
【００４７】
こうした２，２−ビス（４−ポリオキシプロピレンオキシフェニル）プロパンを含む水溶性有機溶媒を水と組み合わせたインク媒体を用いることによって、その優れた特性が最大限に発揮され、用紙の変形抑制能が格段に向上した。
【００４８】
しかも、本実施形態の水性インクジェットインクを用いることによって、高濃度の画像を形成することができる。一般式（１）に示されるように、この２，２−ビス（４−ポリオキシプロピレンオキシフェニル）プロパンには芳香族基とともにメチル基が含まれている。化合物中に芳香族基およびメチル基が存在することにより、水性インクジェットインクの疎水性が高まって、用紙にインクが着弾した際に顔料が用紙の表面に残りやすくなったものと推測される。
【００４９】
本実施形態の水性インクジェットインクにおいて、２，２−ビス（４−ポリオキシプロピレンオキシフェニル）プロパンの含有量は、インク総量の１０〜３０質量％である。２，２−ビス（４−ポリオキシプロピレンオキシフェニル）プロパンの量が少なすぎる場合には、その効果を得ることができない。一方、２，２−ビス（４−ポリオキシプロピレンオキシフェニル）プロパンが多すぎる場合には、ノズル内におけるインクの目詰まりが生じて、吐出が困難となる。
【００５０】
水溶性有機溶媒中に１，２−ヘキサンジオールが含有された場合には、得られる水性インクジェットインクの保存安定性を高めることができる。１，２−ヘキサンジオールは、可溶化剤の役割を果たすためであり、インク総量の５〜１０質量％の量で含有されていれば、その効果が発揮される。
【００５１】
水溶性有機溶媒には、次のような化合物がさらに含有されてもよい。例えば、炭素数２〜１０の多価アルコール、炭素数２〜６の多価アルコールの低級アルキル（炭素数１〜６）エーテル、複素環化合物、および含硫黄化合物などである。こうした化合物は、単独でも２種以上を組み合わせて用いてもよい。
【００５２】
炭素数２〜１０の多価アルコールとしては、例えば、グリセリン、ポリエチレングリコール、ポリプロピレングリコール、エチレングリコール、プロピレングリコール、トリエチレングリコール、トリメチロールプロパン等が挙げられる。
【００５３】
炭素数２〜６の多価アルコールの低級アルキル（炭素数１〜６）エーテルとしては、例えば、エチレングリコールモノアルキルエーテル、ジエチレングリコールモノアルキルエーテル、トリエチレングリコールモノブチルエーテル、およびトリエチレングリコールモノアルキルエーテル等が挙げられる。
【００５４】
複素環化合物としては、例えば、２−ピロリドン、Ｎ−メチルー２−ピロリドン、１，３−ジメチル−２−イミダゾリジノン、およびＮ−エチルモルホリン等が挙げられ、含硫黄化合物としては、例えば、スルホラン、ジメチルスルホキシド、および３−スルホレン等が挙げられる。
【００５５】
さらに、ジアセトンアルコール、ジエタノールアミン、トリエタノールアミン等から選択される化合物が水溶性有機溶媒中に含まれてもよい。
【００５６】
なかでも、グリセリン、ポリエチレングリコール、ポリプロピレングリコール、エチレングリコール、プロピレングリコール、２−ピロリドン、トリエチレングリコールモノブチルエーテルが好ましい。こうした化合物は、保湿剤としても作用する。
【００５７】
本実施形態にかかる水性インクジェットインクを得るにあたっては、例えば、水と２，２−ビス（４−ポリオキシプロピレンオキシフェニル）プロパンとを含む水溶性有機溶媒を、顔料分散体と混合する。本実施形態にかかるインクには、必要に応じて後述するような添加剤を加えることができる。
【００５８】
インクジェット記録用であるので、本実施形態にかかるインクは、インクジェットプリンターにおけるヘッドのノズルからの吐出に適切な粘度を有することが必要である。具体的には、２５℃における粘度が５〜３０ｍＰａ・ｓであることが好ましく、３〜１５ｍＰａ・ｓであることがより好ましい。
【００５９】
水性インクジェットインクの吐出性能などを調整するために、効果が損なわれない範囲で、界面活性剤を別途配合してもよい。
【００６０】
界面活性剤としては、アニオン界面活性剤およびノニオン界面活性剤のいずれを用いてもよい。アニオン界面活性剤としては、例えば、アルキルベンゼンスルフォン酸塩類、スルホコハク酸エステル塩類、および高級アルコールのリン酸エステル塩類等が挙げられる。具体的には、ドデシルベンゼンスルホン酸ナトリウム、およびジオクチルスルホコハク酸ナトリウム等である。
【００６１】
ノニオン界面活性剤としては、例えば、脂肪酸塩類、高級アルコールのエステル塩類、高級アルコールのエチレンオキサイド付加物、アルキルフェノールのエチレンオキサイド付加物、多価アルコール脂肪酸エステルのエチレンオキサイド付加物、アセチレングリコールおよびそのエチレンオキサイド付加物等が挙げられる。具体的には、ポリオキシエチレンノニルフェニルエーテル、およびポリオキシエチレンラウリルエーテルに加えて、サーフィノール１０４、サーフィノール４４０、サーフィノール４６５、サーフィノールＴＧ（Air Products and Chemicals Inc.製）、オルフィンＥ１０１０（日信化学工業株式会社製）等である。
【００６２】
界面活性剤は、インク総量の０．０１〜１０質量％程度の量で含有されていれば、何等不都合を伴なわずに効果を発揮することができる。界面活性剤の量は、インク総量の０．１〜５質量％の範囲内がより好ましい。
【００６３】
上述の界面活性剤のうち、例えばノニオン界面活性剤などは、顔料分散体を調製するための分散剤として用いることができる。
【００６４】
界面活性剤のなかでも、ポリオキシエチレン硬化ヒマシ油は、可溶化剤として作用するのでインクの保存安定性を高めることができる。ポリオキシエチレン硬化ヒマシ油としては、例えば、エマノーンＣＨ−４０（花王ケミカル製）、エマノーンＣＨ−６０（花王ケミカル製）エマノーンＣＨ−８０（花王ケミカル製）が挙げられる。
【００６５】
ポリオキシエチレン硬化ヒマシ油は、インク総量の５〜１０質量％の量で含まれていれば、上述したような効果が得られる。
【００６６】
本実施形態の水性インクジェットインクには、必要に応じて、防腐剤・防かび剤を配合することができる。防腐剤・防かび剤としては、例えば、ナトリウムピリジンチオン−１−オキシド、ｐ−ヒドロキシ安息香酸エチルエステル、１，２−ベンズイソチアゾリン−３−オン及びその塩、デヒドロ酢酸ナトリウム、および２−フェノキシエタノール、安息香酸ナトリウム等が挙げられる。
【００６７】
なかでも、１，２−ベンズイソチアゾリン−３−オンおよびその塩が好ましく、かかる化合物はプロキセル（商品名）として（アビシア社）から市販されている。
【００６８】
防腐・防かび剤は、インク総量の０．００１〜３質量％程度の量で含有されていれば、何等不都合を伴なわずにその効果を発揮することができる。防腐・防かび剤の量は、インク総量の０．０１〜１質量％がより好ましい。
【００６９】
本実施形態の水性インクジェットインクには、酸化防止剤が含有されることが好ましい。酸化防止剤の効果について、本発明者らは次のように考察した。水性インクジェットインクは、輸送の際などに５０℃以上の高温にさらされることがある。その場合、一般式（１）で表わされる２，２−ビス（４−ポリオキシプロピレンオキシフェニル）プロパンにおいては、エチレンオキシド基が切断されて酸が発生する。酸化防止剤により酸の発生が抑制され、輸送の際の熱履歴によるｐＨなどのインク物性の変動が抑制される。その結果、インクの保存安定性が高められる。
【００７０】
上述したようなエチレンオキシド基の切断は、大気にさらされた際にも生じることがある。用紙に印刷されると、本実施形態にかかる水性インクジェットインクは大気にさらされることから、２，２−ビス（４−ポリオキシプロピレンオキシフェニル）プロパン中におけるエチレンオキシド基の切断は時間の経過とともに進行する。エチレンオキシド基の切断によって生じた酸は、セルロース繊維中に新たな水素結合を形成し、その結果、用紙の変形が増大する。酸化防止剤により酸の発生が抑制され、新たな水素結合の形成も低減される。こうして、印刷後に時間が経過した場合でも、カール等の用紙の変形を抑制することができる。
【００７１】
酸化防止剤としては、例えばフェノール系酸化防止剤（ヒンダードフェノール系酸化防止剤を含む）、アミン系酸化防止剤、硫黄系酸化防止剤、およびりん系酸化防止剤等が挙げられる。
【００７２】
フェノール系酸化防止剤としては、耐候性および水分散体の安定性の点から、２，６−ジ−ｔｅｒｔ−ブチル−４−メチルフェノール、２，２’−メチレンビス（４−エチル−６−ｔｅｒｔ−ブチルフェノール）、テトラキス−［メチレン−３−（３’，５’−ジ−ｔｅｒｔ−ブチル−４’−ヒドロキシフェニル）プロピオネート］メタン、および２，６−ジ−ｔｅｒｔ−ブチル−ｐ−クレゾール（ＢＨＴ）等が好ましい。
【００７３】
アミン系酸化防止剤としては、例えばフェニル−β−ナフチルアミン、α−ナフチルアミン、Ｎ，Ｎ’−ジ−ｓｅｃ−ブチル−ｐ−フェニレンジアミン、フェノチアジン、およびＮ，Ｎ’−ジフェニル−ｐ−フェニレンジアミン等が挙げられる。
【００７４】
硫黄系酸化防止剤としては、例えばジラウリル３，３’−チオジプロピオネート、ジステアリルチオジプロピオネート、ラウリルステアリルチオジプロピオネート、およびジミリスチル３，３’−チオジプロピオネート等が挙げられる。
【００７５】
リン系酸化防止剤としては、例えばトリフェニルフォスファイト、オクタデシルフォスファイトおよびトリノニルフェニルフォスファイト等が好ましい。
【００７６】
その他の酸化防止剤としては、アスコルビン酸またはそのアルカリ金属塩、ジブチルヒドロキシトルエンやブチルヒドロキシアニソール等の立体障害フェノール化合物、クエン酸イソプロピル、dl−α−トコフェロール、ノルジヒドログアイアレチン酸、および没食子酸プロピル等が挙げられる。
【００７７】
上述した酸化防止剤の中では、フェノール系酸化防止剤、アスコルビン酸またはその塩が好ましく、２，６−ジ−ｔｅｒｔ−ブチル−ｐ−クレゾール（ＢＨＴ）、アスコルビン酸が特に好ましい。
【００７８】
酸化防止剤は、インク総量の０．０１〜１質量％で含有されていれば、何等不都合を伴なうことなく所望の効果が得られる。酸化防止剤の含有量は、インク総量の０．０５〜０．５質量％がより好ましい。
【００７９】
本実施形態の水性インクジェットインクには、ベンゾフェノン系、ベンゾトリアゾール系、サリチレート系、シアノアクリレート系、およびニッケル錯塩系などの紫外線吸収剤；ヒンダードアミン系などの光安定化剤；キノリン系およびフェニレンジアミン系などのオゾン劣化防止剤等を、さらに添加することもできる。
【００８０】
上述した添加剤は、単独または２種以上を組み合わせて用いることができる。こうした添加剤を配合することによって、インクの保存安定性や得られる印字画像の品質がさらに高められる。
【００８１】
以下に、水性インクジェットインクの具体例を示す。
【００８２】
水、水溶性有機溶媒、界面活性剤および色材を配合して、インクサンプルを得た。下記表１には、各インクサンプル中における水および水溶性有機溶媒の質量％をまとめる。インクサンプルの残部は、界面活性剤および色材としての顔料である。
【表１】
2014101419.tif 000005
【００８３】
界面活性剤としてはサーフィノール４６５（日信化学工業製）を用い、その量はインクサンプル総量の１質量％とした。
【００８４】
色材は自己分散型の顔料分散体の状態で加えた。用いた顔料分散体は、カーボンブラック分散液ＣＡＢ−ＪＥＴ−３００（キャボット社製）であり、カーボンブラックが水中に分散されている。顔料の平均粒径は１２０ｎｍ程度である。顔料分散体に含まれる水の量は、上記表１中の水の量に含まれている。
【００８５】
インクサンプルの調製にあたっては、まず、それぞれの処方で各成分を混合し、スターラーで１時間攪拌した。その後、１μｍのメンブレンフィルターでろ過して、サンプルを得た。
【００８６】
なお、水溶性有機溶媒およびポリオキシエチレン硬化ヒマシ油は、それぞれ以下の化合物を表わす。
【００８７】
ＡＯ１：ＢＡ−１０グリコール（日本乳化剤製）
ＡＯ２：ＢＡ−８グリコール（日本乳化剤製）
ＡＯ３：グリセリン
ＡＯ４：エクセノール４３０
ＡＯ５：１，２−ヘキサンジオール
ＡＯ６：ユニオックスＧ４５０(日油性)
ＡＯ７：エマノーンＣＨ-４０
ＡＯ８：エマノーンＣＨ-６０
ＡＯ９：エマノーンＣＨ-８０
ＢＡ−１０グリコール（ＡＯ１）およびＢＡ−８グリコール（ＡＯ２）は、いずれも下記一般式（１）で表わされる化合物である。
【化４】
2014101419.tif 000006
【００８８】
また、ユニオックスＧ４５０（ＡＯ６）は、下記一般式（２）で表わされ、（ａ＋ｂ＋ｃ）が約８の化合物である。
【化５】
2014101419.tif 000007
【００８９】
このユニオックスＧ４５０（ＡＯ６）は、上記一般式（２）に示されるようにエチレンオキシド基（Ｃ2Ｈ4Ｏ）を有するものの、芳香族基およびメチル基のいずれも含まない点が、ＢＡ−１０グリコール（ＡＯ１）およびＢＡ−８グリコール（ＡＯ２）とは異なっている。
【００９０】
得られたインクサンプルについて粘度を測定した。粘度の測定には、コーンプレート型粘度計ＶＩＳＣＯＭＥＴＥＲ  ＴＶ−２２（東機産業社製）を用いた。粘度の測定は、０．８°×Ｒ２４のコーンロータを用いて、２５℃２０ｒｐｍの条件で行なった。
【００９１】
各インクサンプルの粘度を、下記表２にまとめる。
【表２】
2014101419.tif 000008
【００９２】
得られたインクサンプルについて、用紙のカール抑制能を調べた。評価方法は、以下のとおりである。
【００９３】
東芝テックピエゾヘッドＣＦ１を搭載したインクジェット記録装置により、１００ｄｕｔｙで普通紙にベタ印刷を行なって印刷物サンプルを得た。普通紙としては東芝コピーペーパー紙を用いた。印刷直後の印刷物サンプルを平らな机の上におき、１分後に印刷物サンプルの四隅が机の面から持ち上がった高さを定規で測定した。以下の判断基準により、印刷直後のカール抑制能を判断した。
【００９４】
Ａ：１０ｍｍ未満
Ｂ：１０ｍｍ以上２０ｍｍ未満
Ｃ：２０ｍｍ以上
カール高さが２０ｍｍ未満であれば、実用上問題ないので、印刷直後のカール抑制能は良好であるといえる。
【００９５】
印刷直後のカール抑制能を評価した印刷物サンプルを、２５℃５５ＲＨの恒温槽中に保存した。３日経過後の印刷物サンプルについて、前述と同様にしてカール抑制能を調べた。前述と同様の評価基準により、３日経過後のカール抑制能を判断した。
【００９６】
また、印刷直後の用紙変形の有無を、実機における紙搬送性により評価した。インクジェット記録装置を用いて、前述と同様の普通紙にベタ画像を形成した。ここで用いたインクジェット記録装置は、東芝テックピエゾヘッドＣＦ１を搭載し、搬送速度は１００ｐｐｍ相当である。１画素を形成するために、１つのノズルから４ｐｌ（ピコリットル）のインクを連続的に３滴吐出させて、同一位置に着弾させる。６００ｄｐｉ（ドット／インチ）で、片面全面にベタ画像を形成した。
【００９７】
紙搬送性は、以下の基準で評価した。用紙の搬送が可能であれば、合格である。
【００９８】
Ａ：紙つまりがなく用紙搬送可能であり、カールは１０ｍｍ未満
Ｂ：紙つまりがなく用紙搬送可能であり、カールは２０ｍｍ未満
Ｃ：紙つまりにより用紙搬送不可能
ここで得られたベタ画像の画像濃度を（Ｘ−Ｒｉｔｅ９３８（Ｘ-Ｒｉｔｅ社製））により測定し、以下の基準で評価した。画像濃度は１．２以上であれば合格である。
【００９９】
Ａ：１．３以上
Ｂ：１．２以上１．３未満
Ｃ：１．２未満
さらに、両面印字の際の紙搬送性についても評価した。両面印刷にあたっては、前述の条件で片面印刷が行なわれた用紙を自動で再度給紙し、裏面にも同様の条件で印刷を行なった。紙搬送性は、以下の基準で評価した。
【０１００】
Ａ：紙つまりがなく用紙搬送可能
Ｂ：排紙が不揃いであるものの、用紙の搬送は可能
Ｃ：紙つまりにより用紙搬送不可能
紙搬送性の評価を、カール抑制能および画像濃度とともに、下記表３にまとめる。
【表３】
2014101419.tif 000009
【０１０１】
上記表３に示されるように、Ｎｏ．１〜１０のインクサンプルは、カール抑制能は良好であり、用紙の搬送能および画像濃度も合格レベルである。これらのインクサンプルは、いずれも水の量がインク総量の４５〜７０質量％の範囲内であり、水溶性有機溶媒の量はインク総量の２０〜５０質量％である。しかも、水溶性有機溶媒は特定の２，２−ビス（４−ポリオキシプロピレンオキシフェニル）プロパンを含有し、この２，２−ビス（４−ポリオキシプロピレンオキシフェニル）プロパンはインク総量の１０質量％以上３０質量％未満を占めている。
【０１０２】
Ｎｏ．１〜１０のインクサンプルは、６５℃の恒温槽中で１週間保存した後においても、粘度の増加率が１０％未満であった。これは、保存安定性が優れていることを意味する。上記表１に示されるように、水溶性有機溶媒と同等かそれより多い量で水が含有される場合には、インクサンプルの保存安定性も高められることが確認された。
【０１０３】
Ｎｏ．１１のインクサンプルは、粘度が著しく高いことが表２に示されている。しかも、このＮｏ．１１のインクサンプルは、カール抑制能および用紙搬送能性がＮＧである。Ｎｏ．１１のインクサンプルにおいては、２，２−ビス（４−ポリオキシプロピレンオキシフェニル）プロパンとしてのＢＡ１０−グリコールの量がインク総量の３３質量％である。２，２−ビス（４−ポリオキシプロピレンオキシフェニル）プロパンが多すぎることで、安定したインクが得られなかったためである。
【０１０４】
Ｎｏ．１２のインクサンプルは、カール抑制能および用紙搬送能性がＮＧである。このＮｏ．１２のインクサンプルにおいては、水の量がインク総量の７３質量％と多いので、用紙の変形を抑制することができない。
【０１０５】
Ｎｏ．１３のインクサンプルは、経時のカール抑制能に加えて、両面印刷時の用紙搬送能が劣っている。上記表１に示されるように、Ｎｏ．１３のインクサンプルにおいては、２，２−ビス（４−ポリオキシプロピレンオキシフェニル）プロパンとしてのＢＡ１０−グリコールの量がインク総量の５質量％である。２，２−ビス（４−ポリオキシプロピレンオキシフェニル）が少ないことが、原因であると推測される。
【０１０６】
Ｎｏ．１４のインクサンプルもＮｏ．１３のインクサンプルと同様に、経時のカール抑制能に加えて、両面印刷時の用紙搬送能が劣っている。上記表１に示されるように、Ｎｏ．１４のインクサンプルにおいては、水の量が３９質量％である。インク中における水が少ないことが原因であると推測される。
【０１０７】
Ｎｏ．１５のインクサンプルでは、画像濃度が劣っている。このＮｏ．１５のインクサンプルにおいては、水溶性有機溶媒として、特定の化学式で表わされる２，２−ビス（４−ポリオキシプロピレンオキシフェニル）プロパンが含有されていない。水溶性有機溶媒として配合された化合物は、エチレンオキシド基を有するものの芳香族基およびメチル基を含んでいない。芳香族基およびメチル基をエチレンオキシド基とともに含む化合物が含有されることによって、カール抑制能および用紙搬送能が向上するのに加えて、得られる画像の濃度も高められることが確認された。
【０１０８】
用紙の変形を抑制して、高濃度の画像を形成できる水性インクジェットインクを得るには、インク総量の４５〜７０質量％の水と、インク総量の２０〜５０質量％の水溶性有機溶媒とが含有されなければならない。しかも、所定の２，２−ビス（４−ポリオキシプロピレンオキシフェニル）が、インク総量の１０〜３０質量％を占めることが必要である。Ｎｏ．１〜１０のインクサンプルは、この条件を全て備えているので、所望の特性が得られた。
【０１０９】
本実施形態の水性インクジェットインクは、カールなどの紙媒体の変形を引き起こさずに、紙媒体に高濃度の画像を形成することが可能である。
【０１１０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【０１１１】
ｐ…用紙；  １００…用紙カセット；  １０１…用紙カセット；  １０２…給紙ローラ
１０３…給紙ローラ；  １０４…搬送ローラ対；  １０５…搬送ローラ対
１０６…レジストローラ対；  １０７…搬送ベルト；  １０８…駆動ローラ
１０９…従動ローラ；  １１０…ファン；  １１１…負圧チャンバ
１１２…搬送ローラ対；  １１３…搬送ローラ対；  １１４…搬送ローラ対
１１５Ｃ，１１５Ｍ，１１５Ｙ，１１５Ｂｋ…インクジェットヘッド
１１６Ｃ，１１６Ｍ，１１６Ｙ，１１６Ｂｋ…インクカートリッジ
１１７…チューブ；  １１８…排紙トレイ。
【図１】
2014101419.tif 000012